(57)【要約】  【課題】背部にランバーサポートを備えた椅子において、構造が簡単でしかもランバーサポートの高さ調節を簡単に行えるようにする。  【手段】背もたれ１３を構成する背インナー板２０は、上部を構成する剛体部２０ａとその下方に連続する変形許容部２０ｂとから成っている。バックフレーム１４は縦長のセンターメンバー１４ａと水平状のアッパーメンバー１４ｂとで背面視Ｔ字状に形成されており、アッパーメンバー１４ｂに背インナー板２０の剛体部２０ａが固定されている。ランバーサポート１５は、バックフレーム１４におけるセンターメンバー１４ａの左右外側にはみ出る左右長手の形状に形成されている。【選択図】    図８
2005080677.tif 000002
【特許請求の範囲】
【請求項１】
背部を、人の背や腰が当たる背もたれと、背もたれを撓み変形させて部分的に前向きに押し出すランバーサポートと、前記ランバーサポートを高さ調節可能に支持するバックフレームとが備えられた構造としている椅子であって、
前記ランバーサポートを、人が手で自在に上下動させ得るように背受け部の裏側に露出させた状態でバックフレームにて支持している、
ランバーサポート付き椅子。
【請求項２】
前記バックフレームは、背もたれの左右中間部近傍箇所において上下に延びるセンターメンバーを備えており、このバックフレームに背もたれの上部が固定されている一方、前記ランバーサポートはバックフレームにおけるセンターメンバーの左右外側にはみ出た形態となっており、着座した人が手を後ろに回してランバーサポートのうちバックフレームにおけるセンターメンバーから左右外側にはみ出た部分に手を当てることにより、人が着座したままでランバーサポートを上下動操作することが可能ならしめられている、
請求項１に記載したランバーサポート付き椅子。
【発明の詳細な説明】
【技術分野】
【０００１】
本願発明は、ランバーサポート付き椅子に関するものである。
【背景技術】
【０００２】
人が椅子に腰掛けて作業等を行う場合、腰椎が後方から的確に支持されていると、腰椎や脊椎への負担が軽減されて（すなわち無理のない正しい姿勢になって）疲れにくい。そこで、背もたれに、主として腰椎を集中的に支持するためのランバーサポートを設けることが行われている。
【０００３】
しかし、人の体格は様々で腰椎の高さが異なっており、また、腰や背中のうちどの部分を集中的に支えるかについて好みの違いがある。そこで、ランバーサポートを高さ調節可能に支持することにより、体格や好みに応じたランバーサポート機能を実現することが図られている。
【０００４】
例えば、特許文献１では、背もたれを、合成樹脂製の背もたれ板の前面にクッション材が張られた構造とした場合において、背もたれ板のうち着座者の腰に相当する部分にスリットを形成することによって部分的に突出し得る変形許容部を形成し、この変形許容部の裏側にランバーサポート（公報では突出部材と称している）を配置し、このランバーサポートを背支稈で高さ調節可能に支持することが記載されている。
【０００５】
他方、特許文献２では、ハンドルの回転操作によってランバーサポートを上下動させることが記載されている。
【特許文献１】特許第３０３８１７４号公報
【特許文献２】実公昭６２−７１６１号公報
【発明の開示】
【発明が解決しようとする課題】
【０００６】
特許文献１の背もたれは、図示されてはいないが裏カバーを備えており、ランバーサポートを上下調節するに際しては裏カバーを取り外さなければならない（段落０００６参照）。
【０００７】
しかし、ランバーサポートの高さ調節のたびにいちいち裏カバーを取り外すのは厄介極まりない。また、特許文献１のランバーサポートは正面視又は背面視で背支稈と重なり合う大きさでであるため、たとえ裏カバーを取り外しても、何らかの道具を使用しないとランバーサポートを上下動させるのは難しく、このことが高さ調節の厄介さを助長していると言える。
【０００８】
ところで、近年のオフィスにおける家具類の使用形態として、営業マンのようにオフィスに殆どいない人については、自席を持たず出社時には空いている机や椅子を使用するフリーアドレス（或いはノンテリトリアル）と呼ばれる方式が広がっており、この場合は、椅子を不特定の人が使用することになる。また、空間をブースで仕切ってデスクやパソコンを時間貸しするサービスも多く見られ、この場合も、椅子は不特定の人が使用することになる。
【０００９】
椅子を使用する人の立場からすれば、ランバーサポートの高さを自分の体格や好みに応じて高さ調節したいが、特許文献１のように一々裏カバーを取り外さないとランバーサポートを高さ調節できない構成では、不特定人が使用する椅子においては、ランバーサポート機能は事実上、存在しないに等しいと言える。
【００１０】
他方、特許文献２のようにハンドル（或いはレバー）の操作でランバーサポートを高さ調節するものにおいては、着座した状態で簡単にランバーサポートを高さ調節できるので、ランバーサポート機能を発揮できるという利点はあるが、構造が複雑化するためのコストが嵩むという問題がある。
【００１１】
本願発明は、このような現状を改善することを課題とするものである。
【課題を解決するための手段】
【００１２】
ところで、従来は、ランバーサポートはカバー等で隠すべきであって人目に触れるように露出させるべきでないという考え方が根底にあったと言える。これに対して本願発明者は疑問を呈し、本願発明を完成させるに至った。
【００１３】
すなわち本願発明は、背部を、人の背や腰が当たる背もたれと、背もたれを撓み変形させて部分的に前向きに押し出すランバーサポートと、前記ランバーサポートを高さ調節可能に支持するバックフレームとが備えられた構造としている椅子において、前記ランバーサポートを、人が手で自在に上下動させ得るように背受け部の裏側に露出させた状態でバックフレームにて支持している点を特徴とするものである。
【００１４】
バックフレームやランバーサポートは様々の形態を採用できるが、請求項２の発明では、前記バックフレームは、背もたれの左右中間部近傍箇所において上下に延びるセンターメンバーを備えており、このバックフレームに背もたれの上部が固定されている一方、前記ランバーサポートはバックフレームにおけるセンターメンバーの左右外側にはみ出た形態となっており、着座した人が手を後ろに回してランバーサポートのうちバックフレームにおけるセンターメンバーから左右外側にはみ出た部分に手を当てることにより、人が着座したままでランバーサポートを上下動操作することが可能ならしめられている。
【００１５】
なお、本願発明においてランバーサポートは、人が手を触れて上下動させ得る状態で背部の裏側に露出しておれば足りる。従って、背面積の全体が露出していても良いし部分的に露出していても良い。すなわち、少なくとも手で触れる部分が露出していたらよい。
【発明の効果】
【００１６】
本願発明によると、ランバーサポートが背もたれの裏側に露出していることにより、人はランバーサポートの高さ位置を簡単に調節することができる。このため、腰椎や脊椎を人の体格や好みに応じて支持することをごく簡単に行うことができる。
【００１７】
従って、例えば執務状態とロッキング状態とでランバーサポートの高さ位置を変えるというようなことも極めて簡単に行える。もちろん、不特定の人が使用する椅子としても好適である。ランバーサポートが露出していることにより、使用者は一瞥しただけでランバーサポート機能付きの椅子であることを把握できるという点でも優れている。
【００１８】
また、人はランバーサポートに直接に手を当てて高さ調節するものであり、ハンドル類（或いはレバー類）や連動機構は必要ないため、ランバーサポート機能を設けたことに起因して椅子の製造コストがアップすることを回避できる。
【００１９】
更に、ランバーサポートを人に積極的に視認せしめることにより、従来の椅子にない斬新さを確保することができて、デザイン的にも優れたものとすることが可能になる。見方を変えて述べると、従来の椅子における背部の背面は変化に乏しい形態であったが、本願発明のようにランバーサポートを背部の外観構成部材として採用することにより、デザインの多様性を格段に広げることができると言える。
【００２０】
請求項２のように構成すると、着座した状態でランバーサポートを高さ調節できるため、ランバーサポートの高さを自分に最適に合わせることをごく簡単に行えるため、特に好適である。
【発明を実施するための最良の形態】
【００２１】
次に、本願発明の実施形態を図面に基づいて説明する。
【００２２】
(1).第１実施形態（図１〜図19）
図１〜図１９では第１実施形態を示している。まず、図１〜図４に基づいて概要を説明する。図１は椅子を前方から見た全体斜視図、図２は椅子を後方から見た全体斜視図、図３は部分的な背面図、図４は背部を構成するバックフレームとバックカバーとの分離背面図である。
【００２３】
(a).概要
本発明はいわゆる回転椅子に適用しており、図１や図２に示すように、椅子は、脚装置１と支基部２と座部３と背部４と肘装置５とを備えている。脚支柱１は、先端にキャスター６を設けた枝足部７と、枝足部７の中心部に高さ調節自在に設けた脚支柱（ガスシリンダー）８とを備えている。
【００２４】
他方、支基部２は、脚支柱８の上端に固定したベース９を備えており、このベース９で座部３を支持している。詳細は省略するが、座部３は座板（座インナー板）の上面にクッション材を張った構造になっており、後傾動及び後退動可能に支持されている。
【００２５】
ベース９には、背部４が取り付く揺動アーム１０を後傾動自在に取り付けている。本実施形態の揺動アーム１０は、ベース９の側方から後方に延びるサイドメンバー１０ａとその後端を一体に連結するリアメンバー１０ｂとで平面視コ字状に形成している（もちろん、他の形態でも良い）。ベース９の内部には、揺動アーム１０の後傾動を弾性的に支持するばね手段を設けている
詳細は省略するが、座部３と揺動アーム１０とは軸によって相対回動可能に連結されており、このため、背部４が後傾動すると座部３も後退動しつつ後傾動する（すなわち、座部３と背部４とがシンクロする）。肘装置５は肘支柱１１とこれに高さ調節自在に取り付けた肘当て１２とを備えており、肘支柱１１は揺動アーム１０に固定されている。
【００２６】
背部４は、着座した人の身体を受ける背もたれ１３と、この背もたれ１３を後方から支持するバックフレーム１４と、バックフレーム１４と背もたれ１３との間に介在させたランバーサポート１５とを備えている。
【００２７】
バックフレーム１４は、背もたれ１３の縦長中心線１６に近い位置で上下に延びる２本のセンターメンバー（支柱部）１４ａと、その上端部に固着した左右長手のアッパーメンバー１４ｂとで略Ｔ字状に形成されており、センターメンバー１４ａは揺動アーム１０のリアメンバー１０ｂに固着されている。センターメンバー１４ａは丸パイプからなっており、アッパーメンバー１４ｂは断面コ字状になっている（Ｌ字状でも良い）。
【００２８】
バックフレーム１４は金属製であり、合成樹脂製のバックカバー１８で裏側から覆われている。バックカバー１８は揺動アーム１０のリアメンバー１０ｂも覆っており、このため、バックカバー１８は背面視において略横向きＨ字状の形態になっている。そして、ランバーサポート１５は、バックカバー１８の左右外側にはみ出るように横長に形成されている。以下、図５以下の図面を参照して背部４の詳細を説明する。
【００２９】
(b).背もたれの基本構造
まず、図５〜図７に基づいて、背もたれ１３の基本構造を説明する。図５は背部４の全体的な縦断側面図であり、この図から理解できるように、背もたれ１３は、合成樹脂製の背インナー板（背もたれ板）２０とその前面に張ったクッション材２１とを備えている。背インナー板２０は平面視で前向き凹状に緩く湾曲している。
【００３０】
背インナー板２０は、その上部側の３０％程度を占める剛体部２０ａと、それよりも下方の部分を占める変形許容部２０ｂとから成っている。剛体部２０ａは、上部に行くほど深さが浅くなる前向き凹状に形成されており、このため、剛体部２０ａの下端は変形許容部に対してオーバーハング状に後ろ向きに張り出している（すなわち段違い状になっている）。
【００３１】
剛体部２０ａの内部には、補強及びクッション材２１の安定的支持のため、水平方向及び上下方向に延びる多数のリブ２２が一体に形成されている。言うまでもないが、剛体部２０ａは着座した人の体圧がかかっても弾性変形しない。
【００３２】
変形許容部２０ｂは板状であり、図６（Ａ）の背面図に示すように、多数のスリットを形成することにより、ランバーサポート１５によって容易に曲げ変形させ得るようになっている。また、着座した人の体圧が掛かることによっても多少は撓み変形可能となっている。
【００３３】
変形許容部２０ｂに形成するスリット群の具体的な形態として、背もたれ１３及び背インナー板２０の縦長中心線１６を挟んで対称状に延びる上向き開口コ字状のメインスリット２４ａと、メインスリット２４ａに連続した状態で左右方向に延びる第１補助スリット群２４ｂと、メインスリット２４ａで囲われた内側に独立して形成された左右長手の第２補助スリット群２４ｂと、メインスリット２４ａの左右外側において背インナー板２０の端面に開口するように形成された左右長手の第３補助スリット群２４ｄとを形成している。
【００３４】
背インナー板２０とクッション材２１とは、図７に示す表皮材２５で全体が覆われている。すなわち、図７は表皮材２５の背面図であり、表皮材２５は背インナー板２０とクッション材２１とを収納できるように袋状に形成されている。表皮材２５は、背インナー板２０及びクッション材２１を収納できるように裏側をＴ字状に開口しており、縦長の開口部にファスナー２６を設けている。
【００３５】
表皮材２５の開口部はバックカバー１８で隠れるので美観を損なうことはない。表皮材２５の開口部のうち横長の部分にファスナーやホック等の閉じ手段を設けることも可能である。
【００３６】
表皮材２５は全体を同一色となしても良いし、表側と裏側とを別色とすること（例えば表側はブルーやグリーン、レッド、エンジのような明るい色とし、裏側はクロやグレーのような落ちついた色とする）も可能である。表と裏とで色を変える場合の態様として、図７に一点鎖線２７で境界で示している（色の境界２７は背もたれ１３の側面に位置させても良い）。
【００３７】
表皮材２５は、表側と裏側とで素材を変えることも可能である。もちろん、色と素材との両方を変えることも可能である。また、表皮材２５の素材は各種の布やレザー類など、様々のものを使用できる。
【００３８】
一般に、背部が後傾動するロッキング椅子では、背部の背面は合成樹脂製のカバーで構成されていることが多いが、これでは冷たい感じがすることが多い。また、背部の全体をレザーで覆って、背支柱等の機構部をレザーで囲っている椅子も存在するが、これでは変化に乏しい。
【００３９】
これに対して本実施形態のように、背もたれ１３の全体を表皮材２５で包みつつ、その裏側にバックフレーム１４やバックカバー１８を配置すると、柔らかくて温かい印象は保持しつつ変化のあるデザインを実現することができる。換言すると、柔らかな（或いは優しい）印象とメカニカルな印象とを人に同時に与えることのできるデザインとすることができる。
【００４０】
(c).バックフレームへの背インナー板の取り付け
次に、図８〜図１３も参照して、バックフレーム１４への背インナー板２０の取り付け構造を説明する。図８は表皮材２５及びバックカバー１８並びにクッション材２１を省略した状態での背面図、図９は分離斜視図、図１０は図３のX-X 視断面図、図１１は図１０のXI−XI視断面図、図１２は図８のXII-XII 視断面図、図１３は図１２のXIII-XIII 視断面図である。
【００４１】
バックフレーム１４におけるセンターメンバー１４ａの上端部はアッパーメンバー１４ｂよりも上方に突出している一方、図１０及び図１１に示すように、背インナー板２０の剛体部２０ａには、センターメンバー１４ａの上端部が下方から嵌合する筒部（穴部）２９が形成されている。筒部２９は裏側に開口した横溝穴３０で分断されている。これは肉厚を均等化するためである。
【００４２】
バックフレーム１４におけるアッパーメンバー１４ｂの上片は、背インナー板２０における剛体部２０ａの下面（段差面）３１に重なっており、アッパーメンバー１４ｂの左右両端部の上片を、背インナー板２０の剛体部２０ａに、上下長手のビス３２とこれに螺合するナット（六角ナット）３３とで締結している。背インナー板２０の剛体部２０ａには、ナット３３を裏側から嵌め込むナット保持穴３４が空いている。ナット保持穴３４には、ビス３２を逃がすための遊び穴３５が連通している。
【００４３】
図９では、アッパーメンバー１４ｂを背インナー板２０に締結するためのビス３２が挿通する穴を符号３６で示している。なお、ナット３３は四角形のものを使用してもよい。また、ナット３３を使用せずに、剛体部２０ａに形成された穴にタッピンねじ等の自己穿孔式ビスをねじ込むことによってアッパーメンバー１４ｂを剛体部２０ａに締結することも可能である。
【００４４】
バックフレーム１４における２本のセンターメンバー１４ａが背インナー板２０の剛体部２０ａに嵌合し、しかも、バックフレーム１４のアッパーメンバー１４ｂがビス３２で背インナー板２０の剛体部２０ａに締結されているため、背インナー板２０は剛体部２０ａの箇所でアッパーメンバー１４ｂに強固に締結される。
【００４５】
図１２に示すように、剛体部２０ａの下面のうち左右両側の部位には、バックフレーム１４のアッパーメンバー１４ｂを前後ずれ不能に保持する下向きのリブ３５を形成している。このため、背インナー板２０はバックフレーム１４に対してより強固に取り付けられる。なお、バックフレーム１４はバックカバー１８で覆われ、また、横溝穴３０やナット保持穴３４、遊び穴３５は表皮材２５で覆われるので美観の悪化は生じない。
【００４６】
例えば図５に示すように、背インナー板２０の上部に後ろ向きに突出する剛体部２０ａを設けたことにより、バックフレーム１４のセンターメンバー１４ａと背インナー板２０の変形許容部２０ｂとの間にある程度の空間（隙間）が開く。そして、この空間にランバーサポート１５を配置することができる。
【００４７】
本実施形態のようなバックフレーム１４を使用する場合、背インナー板２０の上部に後ろ向きに張り出したリブを形成し、このリブにバックフレーム１４の上部をねじ止め等で固定しても良いのである。
【００４８】
図５や図９から容易に理解できるように、背インナー板２０の下端部でかつ左右中間部の裏面には、側面視下向き鉤状のフック３８をビス３８ａ（図５参照）で締結している一方、バックフレーム１４のアッパーメンバー１４ｂの下端部には、フック３８が引っ掛かり係合する係合バー３９を溶接等によって固着している。
【００４９】
フック３８は表皮材２５の外面に重なっている。このため、表皮材２５には特段の加工を施す必要がない。フック３８の基部（取付け部）を表皮材２５で覆ってもよい。この場合は、表皮材２５にはフック３８が露出する穴を開けることになる。
【００５０】
フック３８は上下に長く延びており、このため、背インナー板２０の変形許容部２０ｂはバックフレーム１４から離反不能に保持されると共に、その変形が許容される。
【００５１】
なお、フック３８は背インナー板２０に一体成形しても良い。フック３８はバックフレーム１４におけるセンターメンバー１４ａの左右外側に２個配置することも可能であるが、背インナー板２０の変形許容部２０ｂを平面視でねじるように容易に変形させ得るためには、本実施形態のように左右のセンターメンバー１４ａで挟まれれた中間部に１個だけ配置するのが好ましい。
【００５２】
(d).ランバーサポート
次に、図５，図６（Ｂ）、図９に加えて図１４〜図１７も参照してランバーサポート１５について説明する。図１４はバックカバー１８を省略した状態での平断面図、図１５のうち（Ａ）は要部背面図（バックカバー１８は表示している）、（Ｂ）は（Ａ）のＢ−Ｂ視断面図、（Ｃ）はランバーサポート１５の部分的な背面図、図１６は図６（Ｂ）の XVI-XVI視での断面図、図１７は図３のXVII−XVII視断面図である。
【００５３】
ランバーサポート１５は、既述のとおりバックカバー１８の縦長部分から左右外側にはみ出るように横長の形態であり、背面視で左右両端部は円弧状に形成されており、また、側断面は前向き凸状（後ろ向き凹状）に形成されている。
【００５４】
図１４に示すように、本実施形態では、ランバーサポート１５の左右両端部が背インナー板２０の変形許容部２０ｂに当接するように設定している。このため、背インナー板２０の変形許容部２０ｂは平面視での曲率が小さくなるように変形することが可能であり、このためクッション性・フィット性に優れているといえる。
【００５５】
もちろん、ランバーサポート１５をその左右全長にわたって背インナー板２０に当接させたり、或いは、中中間部のみを背インナー板２０に当接させたりすることも可能である（後者の場合は、ランバーサポート１５のうちバックカバー１８から外側に露出した部分は操作用摘まみ部となる）。左右中間部と左右両端部との２ヶ所を背インナー板２０の変形許容部２０ｂに当たるというような飛び飛び状の支持態様も採用できる。
【００５６】
ランバーサポート１５の後面には、バックフレーム１４のセンターメンバー１４ａに手前側から嵌まる側面視半円状の上下ガイド部４１を形成している。この場合、ランバーサポート１５の上下動をスムースに行えるようにするため、各ガイド部４１とセンターメンバー１４ａとの間には合成樹脂製のスライダー４２を介在させている。
【００５７】
スライダー４２は押さえ金具４３及びビス４４でランバーサポート１５のセンターリブ４５に締結している。もちろん、スライダー４２はランバーサポート１５に直接締結しても良い。スライダ４２は上下分離方式又は左右分離方式でも良い。
【００５８】
ランバーサポート１５はバックカバー１８の左右外側にはみ出ているため、人は着座したまま両手を後ろに回してランバーサポート１５の後ろ向き露出部に手を当てることができ、このため、着座したままでランバーサポート１５の高さを頗る簡単に調節することができる。
【００５９】
図４の（Ａ）ではランバーサポート１５は最も下降しており、（Ｂ）では中途部まで上昇させている。敢えて述べるまでもないが、ランバーサポート１５は、背インナー板２０とセンターメンバー１４ａとで挟まれているため、ずり落ちるようなことはない。もちろん、ランバーサポート１５とセンターメンバー１４ａとの当接面に細かい凹凸を形成するなどした高さ保持手段を設けても良い。
【００６０】
本実施形態のようにランバーサポート１５の前面が側断面前向き凸状に湾曲した形態であると、ランバーサポート１５を掴みやすいため、高さ調節をより一層容易に行える利点がある。
【００６１】
また、ランバーサポート１５を本実施形態のように板状でかつ側断面凹状の湾曲した形態に形成すると、リブ効果で断面係数が格段に大きくなることにより、前後方向の外力に対する曲げ抵抗が著しく高くなるため、肉厚を厚くすることなく必要な強度を確保できる利点がある。
【００６２】
図１６では、ランバーサポート１５のうち人が手で触って操作する部分の側断面形状を示してい。このうち（Ａ）に示す例では、等しい厚さで撓んだ円弧状に形成しており、（Ｂ）に示す例では、後向きの張り出し部１５ｃを形成している。このため、（Ｂ）の例では上下両面が平坦状になっている。
【００６３】
（Ａ）のような形状でも良いが、（Ｂ）のような断面形状にすると、上下動操作するに際して指の引っ掛かり代が大きくなる。その結果、すなわち掴み易くなって、上下動操作を行いやすいと言える。図１６に一点鎖線で示すように、ランバーサポート１５の背面に横長又は縦長等のリブ１５ｄの群を形成しても良い。人の手が触れる部分に高さの低いリブ群を形成しても良い。
【００６４】
ランバーサポート１５は、図１７（Ａ）に示すようにその端部を平面視で点接触状態で表皮材２５に当ててもよいが、この場合は接触面積が小さいため、ランバーサポート１５を頻繁に上下動操作すると、表皮材２５の材質によっては、表皮材２５が擦られてテカリが生じたり毛羽立ったりする虞が懸念される。
【００６５】
他方、図１７（Ｂ）に示すように、ランバーサポート１５の端部１５ｅを平断面視でカールさせると共に、平坦部を形成して表皮材２５に面接触させることも可能であり、このように形成すると、表皮材２５の単位面積当たりの押圧力が小さくなるのでテカリやケバの問題は全く又は殆どなくなり、その結果、素材選択の自由性を向上できる利点がある。
【００６６】
図１４に示すように、ランバーサポート１５の左右中間部は前向き凹状に凹んでおり、凹みを符号１５ｆで示している。勿論、凹み１５ｆを形成せずに滑らかに延びる形状であっても良い。
【００６７】
(e).バックカバーの取り付け
図１８に示すように、本実施形態では、バックカバー１８は、その上部をバックフレーム１４のアッパーメンバー１４ｂにビス４６で固定すると共に、その縦長部をバックフレーム１４のセンターメンバー１４ａに固定したブラケット４７にビス４８で固定している。
【００６８】
バックカバー１８にはビス４８をねじ込むめの筒部４９を一体に形成している。図９では、ビス４８の挿入穴を符号５０で表示している。バックカバー１８の下部を揺動アーム１０のリアメンバー１０ｂにもビスで締結してもよい。
【００６９】
本実施形態では、バックフレーム１４に予めバックカバー１８を取り付けておいてから、バックフレーム１４に背もたれ１３を取り付けてビス４８で固定することになる。ビス４８のねじ込みを許容するため、図１２に示すようにバックカバー１８の上部には切欠き１８ａを形成しているが、この切欠き１８ａは人目に触れることはないので美観の問題はない。
【００７０】
椅子の組み立てにおいてカバー類は一般に最後に取り付けられており、このため、の取り付け手段としては、合成樹脂の爪の弾性を利用したスナップ方式が多い。しかし、このようなスナップ方式の取り付け手段では、取り外しが面倒であり、また、取り付け強度に劣る問題がある。
【００７１】
これに対して本実施形態のように予めカバー１８をバックフレーム１４等のフレーム類にねじ止めしておく方法を採用すると、カバー１８の取り外しを簡単に行えると共に、取り付け強度も向上できる利点がある。より正確に述べると、バックフレームを下方から挿入したビスで背インナー板に締結したことにより、ビスが人目に触れることを露出することを防止できるため、バックカバー１８を予めバックフレーム１４にビスで固定しておくことが可能になったのである。
【００７２】
本実施形態のように、背インナー板２０の上部を後方に張り出し剛体部２０ａとして、この剛体部２０ａにバックフレーム１４を取付けると、バックカバー１８の背面を剛体部２０ａの背面に揃えた状態でありながらバックフレーム１４のセンターメンバー１４ａと背インナー板２０の変形許容部２０ｂとの間にランバーサポート１５を配置できる空間が空くため、ランバーサポート１５をバックカバー１８の左右外側に露出させた形態でありながら、全体としてすっきりとしたデザインとすることができる利点がある。
【００７３】
(f).まとめ
次に、図１９も参照して本実施形態の利点を説明する。図１９の（Ａ）（Ｂ）は比較例（従来例）を示しており、この背インナー板２０′は合成樹脂で平断面前向き凹状に形成されている。なお、断面表示（平行斜線）は省略している。
【００７４】
一点鎖線Ｂで示すのは人の腰部背面の平面視での簡略プロフィールであり、太った人は左右横幅及び曲率とも大きく、このため、背インナー板２０′の左右両側部に強く当たる傾向を呈する。他方、痩せた人は左右横幅及び曲率とも小さくて、背インナー板２０′の左右中間部に強く当たる傾向を呈する。
【００７５】
そして、従来のランバーサポート機構では、背インナー板２０′の平断面形状はあまり変化しないため、太った人は左右の脇腹寄りの箇所において突っ張り感を受け、逆に、痩せた人は腰椎又は脊椎の箇所に突っ張り感を受ける傾向がある。このため、いずれにしてもフィット性が不十分である。
【００７６】
これに対して本実施形態では、背インナー板２０の変形許容部２０ｂはスリット群２４の存在によって平断面形状が大きく変形可能であり、しかも、ランバーサポート１５が平面視前向き凹状であって変形許容部２０ｂは平面視での曲率が大きくなる状態にも小さくなる状態にも変形し得るため、太った人の場合は、（Ｃ）に示すように、変形許容部２０ｂは平面視での曲率を大きくするように延び変形する傾向を呈し、逆に、痩せた人の場合は、変形許容部２０ｂは平面視での曲率が小さくなるように曲がり変形する傾向を呈することになり、いずれの場合もフィット性が高い。
【００７７】
すなわち、着座した人の後向き体圧が背インナー板２０の変形許容部２０ｂで分散して支持されることにより、着座者に対して背インナー板２０及びランバーサポート１５が突っ張り感を与えることを防止又は著しく抑制することができる。
【００７８】
図１９（Ｅ）に示すように、背インナー板２０の背面（変形許容部２０ｂのみの背面でも良い）に薄いクッション材２１ａを張っても良い（勿論、裏側のクッション材２１も表皮材２５で覆われる）。
【００７９】
この図１９（Ｅ）のように構成すると、ランバーサポート１５による変形許容部２０ｂの突っ張りがクッション材２１ａによって緩衝されるため、着座者に対する当たりがより柔らかくなる（すなわちフィット性が高くなる）と期待される。
【００８０】
また、樹脂製の背インナー板２０に直接に表皮材２５を張ると、表皮材２５に僅かの弛みがあるとその弛みが外部に現れやすいが、クッション材２１ａを介して表皮材２５を張るとと、クッション材２１ａの弾性を利用して表皮材２５をピンと張った状態に保持できるため、優れた美観を保持することが容易となる利点もある。
【００８１】
既述のとおり、従来のランバーサポート付き椅子では、背インナー板は側面視で前向き凸状に変形させることを主眼としており、すなわち縦断面形状を変化させることを主眼としており、平断面形状の変化はあまり考慮されていない。このため、使用者がフィット性を物足りなく感じることがあった。
【００８２】
これに対して、本実施形態によると、メインスリット２４ａの存在により、背インナー板２０は、例えば右側部だけが集中的に後ろ向きに後退するように撓み変形したり、平面視で全体として偏平状の状態になるように撓み変形したりというように、平断面形状が大きく変化し得る。
【００８３】
このため、着座した人が上半身を左右方向にねじると、背インナー板２０は人の上半身（特に腰部）の動きに追従して平断面形状が変化するように撓み変形することが可能となり、このため、フィット性に優れている。
【００８４】
特に、着座した人が腕を肘当て１２に突っ張らせた状態で上半身をねじることがあり、この場合は背インナー板２０にはこれを平面視でねじるような外力が強く作用するが、この場合の上半身に対する突っ張り感を抑制できるため、フィット性に優れている。
【００８５】
また、肩幅（腰幅）が広い人がもたれ掛かると背インナー板２０にはこれを押し広げるような外力が作用し勝手になるが、この場合も、背インナー板２０は平面視での曲率が小さくなるように変形しやすいため、フィット性に優れている。
【００８６】
また、横長の補助スリット群２４ｂ〜２４ｃの存在により、側断面形状も変化し易いため、ランバーサポート１５による変形機能（押し出し機能）には支障はない。なお、メインスリット２４ａで囲われた内側において第１補助スリット群２４ｂと第２補助スリット群２４ｃとが交互に配置されているため、背インナー板２０は両補助スリット群２４ｂ，２４ｃの境界の部分で変形しやすくなっており、このため、平断面形状を変形させる機能がより強く発揮される。
【００８７】
(2).他の実施形態（図２０〜図２１）
図２０では第２実施形態を示している。（Ａ）は縦断側面図、（Ｂ）は（Ａ）のＢ−Ｂ視断面図である。この実施形態では、第１実施形態と同様にバックフレーム１４に２本のセンターメンバー１４ａを備えている場合において、ランバーサポート１５を、背インナー板２０に当たる前部１５ａとこれに後ろから重なった後部１５ｂとの２つのパーツで構成し、両者をビス５１で締結したものである。
【００８８】
ランバーサポート１５の後部パーツ１５ｂには人が手を当てやすい摘まみ部１５ｃを形成している。この実施形態ではランバーサポート１５はその全体が背インナー板２０の裏側に露出している。
【００８９】
図２１では第３実施形態を示している。この実施形態では、バックフレーム１４を背インナー板２０の左右側面寄りに配置して、左右のバックフレーム１４でランバーサポート１５を高さ調節自在に支持している。この図２１の場合も、ランバーサポート１５のうちバックフレーム１４の外側にはみ出た部分を操作用摘まみ部となしてもよい。
【００９０】
(3).その他
本発明は上記の実施形態の他にも様々に具体化することができる。例えばランバーサポートは板金製や木製とするなどその素材は自由に選定することができ、かつ、形状も任意に設定できる（例えばパイプ状や単なる板状でも良い）。
【００９１】
また、背もたれ（背もたれ）には必ずしも合成樹脂製等の背インナー板を設ける必要はなく、例えば不織布や樹脂シートのようにある程度の腰のある素材を心材（基材）として、これにクッション材を貼り合わせ又は一体成形した構造とすることも可能である。
【００９２】
バックフレームの形状も様々に設定することができる。第１実施形態のようにバックフレームにセンターメンバーを設ける場合、センターメンバーは１本だけとすることも可能であり、また、板金製や合成樹脂製とすることも可能である。バックフレームを合成樹脂製としてバックカバーを無くすことも可能である。
【００９３】
更に、背受け部は背インナー板のみ又はクッション材のみの単一構造とすることも可能である。また、背受け部を、ループ状のフレームにネットを張った構造とすることも可能である。また、バックフレームは必ずしも背もたれを支持する機能を備えている必要はなく、ランバーサポートのみに対する支持機能を備えていても良い（つまり、背もたれとランバーサポートとを別々の部材で支持しても良い）。
【図面の簡単な説明】
【００９４】
【図１】第１実施形態の椅子を前方から見た全体斜視図である。
【図２】椅子を後方から見た全体斜視図である。
【図３】部分的な背面図である。
【図４】バックフレームとバックフレームとの分離背面図である。
【図５】背部の全体的な縦断側面図である。
【図６】背インナー板及びランバーサポートの背面図である。
【図７】表皮材の背面図である。
【図８】表皮材とバックカバーとを省略した状態での背部の背面図である。
【図９】分離斜視図である。
【図１０】図３のX-X 視断面図である。
【図１１】図１０のXI−XI視断面図である。
【図１２】図８のXII-XII 視断面図である。
【図１３】図１２のXIII-XIII 視断面図である。
【図１４】バックカバー１８を省略した状態での平断面図である。
【図１５】（Ａ）は要部背面図、（Ｂ）は（Ａ）のＢ−Ｂ視断面図、（Ｃ）はランバーサポートの部分的な背面図である。
【図１６】図６（Ｂ）の XVI-XVI視での断面図である。
【図１７】図３のXVII−XVII視断面図である。
【図１８】バックカバーの取り付け方法を示す断面図である。
【図１９】実施形態を説明するための図である。
【図２０】第２実施形態を示す図である。
【図２１】第３実施形態を示す図である。
【符号の説明】
【００９５】
１  脚装置
２  支基部
３  座部
４  背部
１０  揺動アーム
１３  背もたれ
１４  バックフレーム
１５  ランバーサポート
１７  バックフレームのセンターメンバー
１８  バックフレームのアッパーメンバー
２４ａ〜２４ｄ  スリット
２５  表皮材
【図１】
2005080677.tif 000003
【図２】
2005080677.tif 000004
【図３】
2005080677.tif 000005
【図４】
2005080677.tif 000006
【図５】
2005080677.tif 000007
【図６】
2005080677.tif 000008
【図７】
2005080677.tif 000009
【図８】
2005080677.tif 000010
【図９】
2005080677.tif 000011
【図１０】
2005080677.tif 000012
【図１１】
2005080677.tif 000013
【図１２】
2005080677.tif 000014
【図１３】
2005080677.tif 000015
【図１４】
2005080677.tif 000016
【図１５】
2005080677.tif 000017
【図１６】
2005080677.tif 000018
【図１７】
2005080677.tif 000019
【図１８】
2005080677.tif 000020
【図１９】
2005080677.tif 000021
【図２０】
2005080677.tif 000022
【図２１】
2005080677.tif 000023